(57)【要約】【課題】移動リフターは、重量荷物を掬って昇降するリフトフォークを案内する高いリフトタワーを構成するため、重量荷物の昇降作業時には、機体、特にリフトタワー部の前後、左右のバランス支持が維持し難いものである。【解決手段】前輪１，後輪２を有して移動可能のリフトベース３の中央部上に、前側に沿ってリフトフォーク４を昇降案内するリフトタワー５を立設すると共に、このリフトタワー５の後側にはバランスウエイト６を搭載可能のウエイトスペース７を形成し、このウエイトスペース７の左右両側部に左右一対のバッテリー８を配置したことを特徴とする移動リフターの構成とする。【選択図】図１
2008074537.tif 000002
【特許請求の範囲】
【請求項１】
前輪（１），後輪（２）を有して移動可能のリフトベース（３）の中央部上に、前側に沿ってリフトフォーク（４）を昇降案内するリフトタワー（５）を立設すると共に、このリフトタワー（５）の後側にはバランスウエイト（６）を搭載可能のウエイトスペース（７）を形成し、このウエイトスペース（７）の左右両側部に左右一対のバッテリー（８）を配置したことを特徴とする移動リフター。
【請求項２】
前記リフトタワー（５）より適宜前方間隔（Ａ）離間して左右外側部に前輪（１）を配置し、このリフトタワー（５）から左右前輪（１）間に向けてリフトブラケット（９）を突出して、このフォークブラケット（９）の前端部にフォークベース（１０）を有するリフトフォーク（４）を設けたことを特徴とする請求項１に記載の移動リフター。
【発明の詳細な説明】
【技術分野】
【０００１】
この発明は、穀粒袋等を昇降する移動リフターに関し、機体の前後、及び左右重量バランスを図るものである。
【背景技術】
【０００２】
前輪の直上部にリフトタワーを設ける技術（例えば、特許文献１参照）や、前輪の前側にリフトタワーを設ける技術（例えば、特許文献２参照）が知られている。
【特許文献１】実開昭５７−１８８７９６号公報（第１頁，図１）。
【特許文献２】特開２００２−８７７６１号公報（第１頁，図１）。
【発明の開示】
【発明が解決しようとする課題】
【０００３】
移動リフターは、重量荷物を掬って昇降するリフトフォークを案内する高いリフトタワーを構成するため、重量荷物の昇降作業時には、機体、特にリフトタワー部の前後、左右のバランス支持が維持し難いものである。
【課題を解決するための手段】
【０００４】
請求項１に記載の発明は、前輪１，後輪２を有して移動可能のリフトベース３の中央部上に、前側に沿ってリフトフォーク４を昇降案内するリフトタワー５を立設すると共に、このリフトタワー５の後側にはバランスウエイト６を搭載可能のウエイトスペース７を形成し、このウエイトスペース７の左右両側部に左右一対のバッテリー８を配置したことを特徴とする移動リフターの構成とする。リフトフォーク４を荷物載置の床面上に位置させて、リフトベース３を前後に移動操作することによって、このリフトフォーク４による荷物の積み降ろし、昇降を行うことができる。リフトフォーク４の昇降は、バッテリー８の電源によって電動されるモータによって駆動される。このリフトフォーク４は、リフトベース３の略中央部上に立設のリフトタワー５の前方に突出して荷物を支持して昇降するが、このリフトベース３の後側部のウエイトスペース７にはバランスウエイト６が搭載され、このバランスウエイト６の左右両側部にバッテリー８が配置されるため、リフトタワー５前側のリフトフォーク４による掬い上げの荷物重量と、これらリフトタワー５後側のバランスウエイト６，及びバッテリー８との前後重量バランスが良く、又、このバッテリー８は、中央部のバランスウエイト６部を中心にして左右対称状に配置して、左右方向の重量バランスをも良好に維持する。
【０００５】
請求項２に記載の発明は、前記リフトタワー５より適宜前方間隔（Ａ）離間して左右外側部に前輪１を配置し、このリフトタワー５から左右前輪１間に向けてフォークブラケット９を突出して、このフォークブラケット９の前端部にフォークベース１０を有するリフトフォーク４を設けたことを特徴とする。リフトタワー５は、前記のように前輪１，後輪２を有したリフトベース３の略中央部上に立設することによって安定した支持形態とすることができるが、この前輪１を、該リフトタワー５よりも前方に前後間隔Ａ離間した位置の左右外側部に配置して、しかも、フォークベース１０を有したリフトフォーク４を、この間隔Ａを離間した前方位置に突出のフォークブラケット９の前端部に取付けるものであるから、このリフトタワー５の立設位置をできるだけ後位置に設定して、リフトフォーク４による掬い上げ荷重との前後重量バランスをとり易くする。又、このリフトタワー５とリフトフォーク４のフォークベース１０部との前後間隔Ａを広く維持して、昇降荷物の邪魔にならないようにし、前輪１との接触を防止する構成を簡単、容易にすることができる。
【発明の効果】
【０００６】
請求項１に記載の発明は、リフトタワー５をリフトベース３の略中央部に立設し、このリフトタワー５の後側にバランスウエイト６を搭載し、このバランスウエイト６の左右両側部に左右一対のバッテリー８を搭載するため、機体の前後重量と、左右重量バランスを良好に維持できる昇降作用や、移動等を容易に、安定した状態で行うことができる。
【０００７】
請求項２に記載の発明は、リフトタワー５と前輪１との間に適宜の前後間隔Ａを形成し、この前後間隔Ａにフォークブラケット９を突出させて、前端部にフォークスペース１０を有するリフトフォーク４を設けるものであるから、リフトタワー５をより後位に立設することによって機体の前後重量バランスを確保し易く、又、この前後間隔Ａを広くすることによって、リフト作業中の荷物がリフトタワー５に接触し難く、又、前輪１をフォークベース１０に対してできるだけ後位に配置し易くして、円滑で、安定したリフト作業を行わせることができる。
【発明を実施するための最良の形態】
【０００８】
図例に基づいて、移動リフターは、リフトベース３の底部に左右一対の前輪１と後中央部で操向自在の後輪２を配置して、床面を移動可能に構成し、このリフトベース３の略中央部上にリフトタワー５を立設して、内部にはリフトフォーク４を昇降するチェン１１や、この昇降案内のためのガイドレール１２等を設ける。このリフトベース３の前側に、このリフトタワー５側から前側へ突出のフォークブラケット９を介して、リフトフォーク４、及びこのリフトフォーク４の後側に立設して荷物の後面を支持するフォークベース１０等を取付ける。又、このフォークブラケット９の左右両側部に前輪２を配置し、リフトベース３の左右両側部に位置するサイドアーム１３の前端内側部に回転自在に軸２１支する。これら前輪２の前記リフトタワー５に対する関係位置は、側面視において、適宜の前後間隔Ａを形成するように、前輪１をできるだけ前側に位置させるように配置している。リフトタワー５の下端部で後側にはリフトベース３に電動モータ１４を設けて、前記チェン１１を往復駆動する構成としている。このモータ１４上側には操作パネル１６を設けて、モータ１４の電動操作等を行うことができる。この操作パネル１６の後側のリフトベース３上にバランスウエイト６を搭載するウエイトスペース７を適宜幅に形成する。このウエイトスペース７の左右両側部にバッテリー８を各々搭載する。これらリフトベース３の上部外周は、前記左右両側のサイドアーム１３と、後側のリヤパネル１７で平面視でコ字状形態に囲む構成としている。リフトタワー５の上部後側にはハンドル１８を設けて、機体の移動操作を行うことができる。
【０００９】
ここにおいて、この発明に係る移動リフターは、前輪１，後輪２を有して移動可能のリフトベース３の中央部上に、前側に沿ってリフトフォーク４を昇降案内するリフトタワー５を立設すると共に、このリフトタワー５の後側にはバランスウエイト６を搭載可能のウエイトスペース７を形成し、このウエイトスペース７の左右両側部に左右一対のバッテリー８を配置したことを特徴とする移動リフターの構成とする。リフトフォーク４を荷物載置の床面上に位置させて、リフトベース３を前後に移動操作することによって、このリフトフォーク４による荷物の積み降ろし、昇降を行うことができる。リフトフォーク４の昇降は、バッテリー８の電源によって電動されるモータによって駆動される。このリフトフォーク４は、リフトベース３の略中央部上に立設のリフトタワー５の前方に突出して荷物を支持して昇降するが、このリフトベース３の後側部のウエイトスペース７にはバランスウエイト６が搭載され、このバランスウエイト６の左右両側部にバッテリ８が配置されるため、リフトタワー５前側のリフトフォーク４による掬い上げの荷物重量と、これらリフトタワー５後側のバランスウエイト６，及びバッテリー８との前後重量バランスが良く、又、このバッテリー８は、中央部のバランスウエイト６部を中心にして左右対称状に配置して、左右方向の重量バランスをも良好に維持する。
【００１０】
又、前記リフトタワー５より適宜前方離間して左右外側部に前輪１を配置し、このリフトタワー５から左右前輪１間に向けてフォークブラケット９を突出して、このフォークブラケット９の前端部にフォークベース１０を有するリフトフォーク４を設けたことを特徴とする。リフトタワー５は、前記のように前輪１，後輪２を有したリフトベース３の略中央部上に立設することによって安定した支持形態とすることができるが、この前輪１を、該リフトタワー５よりも前方に前後間隔Ａ離間した位置の左右外側部に配置して、しかも、フォークベース１０を有したリフトフォーク４を、この間隔Ａを離間した前方位置に突出のフォークブラケット９の前端部に取付けるものであるから、このリフトタワー５の立設位置をできるだけ後位置に設定して、リフトフォーク４による掬い上げ荷重との前後重量バランスをとり易くする。又、このリフトタワー５とリフトフォーク４のフォークベース１０部との前後間隔Ａを広く維持して、昇降荷物の邪魔にならないようにし、前輪１との接触を防止する構成を簡単、容易にすることができる。
【００１１】
前記リフトフォーク４は、フォークベース１０の下端部から前方に二又フォーク形態に突出するもので、３０ｋｇ入りの米袋Ｂを縦長方向に掬い上げて支持する形態に構成している。このフォークベース１０を前輪１の前端縁よりも後退させて設ける場合は、この前輪１の前周面を覆う前輪カバーを左右外側部に設けることもできる。フォークブラケット９の後端部は、前記リフトタワー５内のチェン１１に連結して、このチェン１１の昇降移動によって一体的に昇降される。このフォークブラケット９には案内ローラ２０が設けられて、前記ガイドレール１２を前後から挟持して案内するように構成している。又、前記リフトフォーク４は、各種の荷物や、大きさ等に対応するように、ソケットフォーク４０を着脱可能にしている。
【００１２】
前記チェン１１は、リフトタワー５下端部のスプロケット軸２２と、上端部のスプロケット軸２３の間に巻き掛けられて、モータ１４の軸２４からチェン２５伝動することによって、このモータ１４の正回転、又は逆回転により前記フォークブラケット９を昇降駆動する。このフォークブラケット９は、連結具２６を介してチェン１１の一端部に連結し、チェン１１の他端部にはこの連結具２６とスプリング２７を介して連結している。このスプリング２７によってモータ１４によるチェン１１駆動を緩衝的に行うように構成している。
【００１３】
前記リフトタワー５の前側に沿って角パイプ材から構成されるガイドレール１２を設け、このガイドレール１２の前後面に沿って、ボルト２８締めによって着脱可能のガイド板２９を取付ける。このガイド板２９の取付は、上下複数区分に分割した形態とし、連接して取付けることによって、フォークブラケット９のガイドローラ２０の摺動を下端部から上端部まで円滑に行わせることができる。この取付用のボルト２８はガイド板２９幅の中央部に沿って配置し、各ガイドローラ２０は、このガイド板２９の外側縁を挟むような形態のローラエッジ３０と、案内面３１を形成し、この案内面３１の中央部で前記ボルト２８頭部と対向する部分を窪ませた凹部３２を形成して、このガイドレール１２に対するガイド板２９の着替えを簡単、容易に行うと共に、ガイドローラ２０の移動案内を円滑に行う構成としている。又、このガイド板２９を上下複数に分割Ｃする形態では、このガイド板２９の着替時にフォークブラケット９を取外さないで、ガイド板２９の取付けられている側等へ昇降移動させておいて、このフォークブラケット９の位置しない部分のガイド板２９をボルト２８操作で着替える。このようなガイド板２９は、薄板形態に構成することができるが、硬質合成樹脂板製とすることも可能である。
【００１４】
又、このようなガイドレール１２は、重量物を掬うリフトフォーク４を前側に支持して昇降案内するものであるが、この重量によって揚程限界が異なり、重くなる程、揚程は低くなる。このガイドレール１２の下端部に対して上端部を若干後位になるように後傾斜α（例えば、α＝２〜２．５度）に設定している。このガイドレール１２の後傾斜αによって、リフトフォーク４の積載重量を大きくすることができ、リフトタワー５のバランスを維持して、揚程を高く設定することができ、安定した昇降を行わせることができる。
【００１５】
前記リフトタワー５の移動操作を行うために、このリフトタワー５の後側部にハンドル１８を設けるが、このハンドル１８はループ形態として、取付部３５を取付具３３によって適宜操作し易い高さの位置に着替可能にしている。又、このハンドル１８は、ハンドル基部３４が、取付部３５から後方上部で左右外側方へ拡開する形態に形成され、このハンドル基部３４の後端から前側上方部に傾斜するように曲げられて、左右のグリップ部３６を形成し、このグリップ部３６間をループ状に連結したループ部３７を形成する。このグリップ部３６には取付ブラケット３８を有して、前記モータ１４を駆動するための操作スイッチ１５等を取付けるように構成している。このグリップ部３６を前側上方に傾斜させた形態とすることによって、ハンドル１８操作を行い易くすることができ、ループ状態のハンドル１８剛性を高めて、操作力を働き易くするものである。
【００１６】
前記リフトベース３の後部に配置するバッテリー８は、左右に分離して独立配置の形態であるから、各々小形のバッテリー８を使用することができ、取扱いを容易化することができる。又、このバッテリー８間のウエイトスペース７に設けるバランスウエイト６は、単位重量に形成されたウエイトを複数搭載する形態として、リフトフォーク４が昇降対象とする荷物Ｂの重量に応じて、重量加減することができるように構成して、作業性を高めるものである。各ウエイト６にはハンドル４１を有して、各ウエイト６の取扱いを行い易くしている。
【００１７】
床面上に載置された米袋Ｂ等を掬い取ったり、降ろすときは、機体をハンドル１８操作で前進させたり、後退することによって、この前側のリフトフォーク４を床面上に沿わせて前後に移動する。又、このリフトフォーク４の昇降は、ハンドル１８乃至操作スイッチ１５等の操作によってモータ１４を正転、逆転駆動することにより、チェン１１を介してフォークブラケット９を上昇し、この荷物Ｂ積載のリフトフォーク４を昇降する。このようなリフトフォーク４の昇降において、このリフトフォーク４が左右外側の前輪１よりも前方に長く突出しているため、この前輪１の前方移動できない庫内等へのリフトフォーク４の差込深さを深くして、しかも、掬込荷物Ｂをこのリフトフォーク４のフォークベース１０に押し当てる状態にして安定した掬い取り姿勢に掬うことができる。そして、昇降時には、フォークブラケット９が長く前側に突出して、リフトタワー５，及びリフトガイドレール１２には大きい曲げ力が働くが、このリフトタワー５等を支持するリフトベース３は、このリフトタワー５の前側に前後間隔Ａを介して配置の前輪１によって安定的に支持される。このため、これらリフトタワー５やリフトベース３等を特別な重量構成としたり、剛性力の大きい部材形態とすることなく、軽量化構成にすることができる。しかも、前記のようにリフトタワー５のガイドレール１２は、後傾斜αの形態であるから、リフトアーム４が上昇するに従って、このリフトアーム４の重心位置がリフトタワー５の後位に移動して、荷重支持を安定させることができる。又、前記フォークベース１０が前輪１の前部に位置するため、下降位置では前記のように荷物の掬い込み深さを深くすることができるが、これと共に、このリフトフォーク４の昇降時においては、前記フォークブラケット９の突出によってリフトタワー５とこのフォークベース１０との間隔を広く維持して、荷物の一部がフォークベース１０の後側へ張出した状態にあっても接触し難く、荷物の積載状態を制限し難く、作業性を容易にすることができる。
【図面の簡単な説明】
【００１８】
【図１】移動リフターの側面図。
【図２】その平面図。
【図３】その外観側面図。
【図４】ガイドレール部の側面図。
【図５】その平断面図。
【図６】ハンドル部の斜視図。
【符号の説明】
【００１９】
１    前輪
２    後輪
３    リフトベース
４    リフトフォーク
５    リフトタワー
６    バランスウエイト
７    ウエイトスペース
【図１】
2008074537.tif 000003
【図２】
2008074537.tif 000004
【図３】
2008074537.tif 000005
【図４】
2008074537.tif 000006
【図５】
2008074537.tif 000007
【図６】
2008074537.tif 000008